(57)【特許請求の範囲】
【請求項１】
引違い開閉される障子（１Ａ・１Ｂ）の縦枠（１ａ・１ｂ）に固定されて、両障子（１Ａ・１Ｂ）を換気開放位置において開放不能にロック保持する第１ロック体（７）と第２ロック体（８）とからなり、
第１ロック体（７）は、一方の縦枠（１ｂ）に固定される取付ベース（１０）と、取付ベース（１０）に設けた軸（１１）で窓面に沿って揺動自在に軸支した牽制アーム（１２）とを含み、
第２ロック体（８）は、他方の縦枠（１ａ）に固定されるホルダー（１５）と、ホルダー（１５）で支持した牽制アーム（１２）用の掛止ピン（１６）とを備えており、
牽制アーム（１２）には、掛止ピン（１６）と係合するスライド溝（１３）が設けられており、
第２ロック体（８）のホルダー（１５）に、掛止ピン（１６）がスライド溝（１３）に係合する係合位置と、掛止ピン（１６）のスライド溝（１３）との係合状態が解かれる待機位置との間で、掛止ピン（１６）を切り換え操作するための切換具（２５）が設けられており、かかる切換具（２５）の係合位置と待機位置との間の切り換え操作に際しては、該切換具（２５）は回動操作を伴うものとなっており、
係合位置にある掛止ピン（１６）がスライド溝（１３）を介して牽制アーム（１２）と係合して、両障子（１Ａ・１Ｂ）を換気開放位置で開放不能にロック保持するようになっており、
掛止ピン（１６）と、掛止ピン（１６）に固定した切換具（２５）とが、ホルダー（１５）で内外方向へ出退自在に、かつ回動可能に支持されて、ばね（２６）で前記待機位置へ向かって退入付勢されており、
掛止ピン（１６）が前記待機位置となるようにばね（２６）により退入付勢された状態においては切換具（２５）は回動操作不能であり、
掛止ピン（１６）が係合位置となるように切換具（２５）をばね（２６）の付勢力に抗して押し込み操作したとき切換具（２５）の回動操作が可能となり、しかも切換具（２５）を押し込み操作したうえでこれを回動操作すると、切換具（２５）の掛止ピン（１６）を係合位置とする姿勢位置が保持されて、掛止ピン（１６）の待機位置への復帰移動が阻止されるようになっており、
第２ロック体（８）のホルダー（１５）に、切換具（２５）の回動操作を伴う切り換え操作を規制する切換ロック具（１７）が備えられていることを特徴とする引違い障子用の換気ロック装置。
【請求項２】
切換ロック具（１７）は、切換具（２５）と接当係合して、窓開放時における切換具（２５）の切り換え操作を阻止する規制体（３５）と、規制体（３５）を規制位置へ向かって移動付勢するばね（３６）とを有し、
規制体（３５）は、ホルダー（１５）に支持されて切換具（２５）の切り換え操作を阻止する規制位置と、切換具（２５）の切り換え操作を許す待機位置との間を往復変位でき、
両障子（１Ａ・１Ｂ）を全閉した状態において、規制体（３５）が第１ロック体（７）、ないし第１ロック体（７）側の縦枠（１ｂ）で、ばね（３６）に抗して待機位置へ変位操作されるように構成してある請求項１記載の引違い障子用の換気ロック装置。
【請求項３】
錠止レバー（５）を備えている錠本体（３）と、錠受座（４）とからなるクレセント錠（２）が、両障子（１Ａ・１Ｂ）の縦枠（１ａ・１ｂ）に設けられており、
錠受座（４）に第１ロック体（７）の取付ベース（１０）が一体に設けられており、
第２ロック体（８）のホルダー（１５）が、縦枠（１ａ）に対してクレセント錠（２）の錠本体（３）と共締め固定されている請求項１記載の引違い障子用の換気ロック装置。
【請求項４】
切換ロック具（１７）の規制体（３５）は、内外方向へ出退自在に、しかし回動は不能に支持されて、ばね（３６）で規制位置へ向かって進出付勢されており、
切換具（２５）の軸部の周面と、軸部を支持するホルダー（１５）の軸受穴（３３）との間に、待機位置における切換具（２５）の回動を阻止する突起（３０）と凹部（３４）とが設けられており、
規制体（３５）の周面に、規制体（３５）が規制位置へ進出した状態において、切換具（２５）の回動を阻止するロック片（３９）が突設されており、
切換具（２５）の軸部の周面に、切換具（２５）が係合位置へ進出変位した状態において、ロック片（３９）と接当する接当片（２９）が突設されている請求項２記載の引違い障子用の換気ロック装置。  
【発明の詳細な説明】
【０００１】
【発明の属する技術分野】
この発明は、例えば引違い窓に適用されて、窓を換気位置にロック保持するための引違い障子用の換気ロック装置に関する。
【０００２】
【従来の技術】
この種の換気ロック装置は、実開平３−１３０８７８号公報や実開平４−６２７７１号公報に公知である。いずれも、クレセント錠の錠受座の側に複数個のロック爪を設けておき、窓を僅かに開いた換気開放状態においても、錠止レバーをロック爪に係止できるようにしたものである。実開昭６３−３７７６号公報には、錠止レバーの回動に連動して上下動するロッドを一方の窓の縦枠内に設けておき、他方の窓に設けたロック板にロッドを差し込み係合することにより、内外の窓を開放不能にロックする換気ロック装置が開示されている。なお、そのロック板には、ロッドを受け入れるロック穴が直線列状に通設してある。
【０００３】
【発明が解決しようとする課題】
錠受座に複数個のロック爪を設ける換気ロック装置は、構造が簡単であるうえ、既存の錠止レバーをそのまま使用できる点でコストが少なくて済む。しかし、全閉状態においては、錠受座が屋内側窓面において横向きに大きく突出するので、見映えが悪く体裁上に問題がある。この点、窓の縦枠内に配置したロッドをロック板に差し込み係合するロック装置は、ロッド等の係合構造が窓の外面に現れないので、体裁は良い。問題は、ロッドを窓の縦枠内に組み、ロック板を屋内窓の下枠と一体に設けるので、構造が大掛かりでコストが高く付くこと、さらに既存の窓に適用するには、窓ごと交換しなければならない不利がある。
【０００４】
従来の換気ロック装置は、いずれも錠止レバーを解錠操作することでロック状態をいとも簡単に解除できる。そのため、換気時に窓の開放部分から手を差し込んで、あるいは道具を用いて錠止レバーをロック解除操作できる余地があり、確実な防犯機能が得られない点に難がある。
【０００５】
この発明の目的は、引違い障子を換気開放位置において開放不能にロック保持でき、ロック要素として、一点回りに揺動変位する牽制アームを用いた引違い障子用の換気ロック装置を提供することにある。この発明の他の目的は、障子を閉じた状態における体裁を向上できるうえ、クレセント錠を備えた既存の障子にも追加工を行う必要もなく装着でき、施工の手間が少なくて済む引違い障子用の換気ロック装置を提供することにある。
【０００６】
この発明の目的は、障子を全閉状態へ戻さない限りは換気ロック装置をロック解除操作できず、従って換気開放状態であっても外部からの侵入を確実に阻止でき、防犯性に優れた引違い障子用の換気ロック装置を提供することにある。この発明の目的は、掛止ピンを切り換え操作する切換具と、窓開放状態において、切換具を切り換え不能な状態に動作規制する切換ロック具とを備えていて、窓を全閉操作するだけで、切換ロック具による動作規制を自動的に解除でき、取り扱いの容易性を確保することにある。
【０００７】
【課題を解決するための手段】
この発明の換気ロック装置は、引違い開閉される障子１Ａ・１Ｂの縦枠１ａ・１ｂに固定されて、両障子１Ａ・１Ｂを換気開放位置において開放不能にロック保持する第１ロック体７と第２ロック体８とからなる。第１ロック体７は、一方の縦枠１ｂに固定される取付ベース１０と、取付ベース１０に設けた軸１１で窓面に沿って揺動自在に軸支した牽制アーム１２とを含む。第２ロック体８は、他方の縦枠１ａに固定されるホルダー１５と、ホルダー１５で支持した牽制アーム１２用の掛止ピン１６とを備えている。牽制アーム１２には、掛止ピン１６と係合するスライド溝１３が設けてある。第２ロック体８のホルダー１５には、掛止ピン１６がスライド溝１３に係合する係合位置と、掛止ピン１６のスライド溝１３との係合状態が解かれる待機位置との間で、掛止ピン１６を切り換え操作するための切換具２５を設ける。かかる切換具２５の係合位置と待機位置との間の切り換え操作に際しては、該切換具２５は回動操作を伴う。係合位置にある掛止ピン１６は、スライド溝１３を介して牽制アーム１２と係合して、両障子１Ａ・１Ｂを換気開放位置で開放不能にロック保持する。掛止ピン１６と、掛止ピン１６に固定した切換具２５とは、ホルダー１５で内外方向へ出退自在に、かつ回動可能に支持されて、ばね２６で前記待機位置へ向かって退入付勢する。掛止ピン１６が前記待機位置となるようにばね２６により退入付勢された状態においては切換具２５は回動操作不能である。掛止ピン１６が係合位置となるように切換具２５をばね２６の付勢力に抗して押し込み操作したとき切換具２５の回動操作が可能となり、しかも切換具２５を押し込み操作したうえでこれを回動操作すると、切換具２５の掛止ピン１６を係合位置とする姿勢位置が保持されて、掛止ピン１６の待機位置への復帰移動が阻止される。第２ロック体８のホルダー１５に、切換具２５の回動操作を伴う切り換え操作を規制する切換ロック具１７を備える。
【０００８】
切換ロック具１７は、切換具２５と接当係合して、窓開放時における切換具２５の切り換え操作を阻止する規制体３５と、規制体３５を規制位置へ向かって移動付勢するばね３６とを有する。規制体３５は、ホルダー１５に支持されて切換具２５の切り換え操作を阻止する規制位置と、切換具２５の切り換え操作を許す待機位置との間を往復変位できる。両障子１Ａ・１Ｂを全閉した状態において、規制体３５は第１ロック体７、ないし第１ロック体７側の縦枠１ｂで、ばね３６に抗して待機位置へ変位操作されるように構成する。
【０００９】
錠止レバー５を備えている錠本体３と、錠受座４とからなるクレセント錠２を、両障子１Ａ・１Ｂの縦枠１ａ・１ｂに設ける。錠受座４に第１ロック体７の取付ベース１０を一体に設ける。第２ロック体８のホルダー１５は、縦枠１ｂに対してクレセント錠２の錠本体３と共締め固定する。
【００１０】
切換ロック具１７の規制体３５は、内外方向へ出退自在に、しかし回動は不能に支持し、ばね３６で規制位置へ向かって進出付勢する。切換具２５の軸部の周面と、軸部を支持するホルダー１５の軸受穴３３との間には、待機位置における切換具２５の回動を阻止する突起３０と凹部３４とを設ける。規制体３５の周面には、規制体３５が規制位置へ進出した状態において、切換具２５の回動を阻止するロック片３９を突設する。切換具２５の軸部の周面には、切換具２５が係合位置へ進出変位した状態において、ロック片３９と接当する接当片２９を突設する。
【００１２】
【作用および発明の効果】
障子１Ａ・１Ｂを閉じた状態において、牽制アーム１２は、その上端が取付ベース１０に支持されて、軸１１の下方に吊持されている。このとき、掛止ピン１６を切換具２５で係合位置へ変位操作すると、掛止ピン１６の開放軌跡が牽制アーム１２のスライド溝１３を横切る関係になるので、いずれか一方の障子１Ｂを開き操作することによって、掛止ピン１６と牽制アーム１２とがスライド溝１３を介して係合する。障子１Ｂの開量の増加に伴って、牽制アーム１２は掛止ピン１６で軸１１を中心にして上向きに傾動操作され、そのスライド溝１３の溝端に掛止ピン１６が接当した状態において、それ以上に障子１Ａ・１Ｂが開放操作されるのを阻止する。障子１Ｂを閉じ操作すると、牽制アーム１２は下方傾動し、再び垂直姿勢に復帰する。この状態において、掛止ピン１６を切換具２５で待機位置へ変位させると、この場合の掛止ピン１６の開放軌跡が牽制アーム１２よりも屋内側へ移動するので、障子１Ａ・１Ｂを全開放できる。
【００１３】
上記のようにこの発明では、一端が軸支された牽制アーム１２を用いて、障子１Ａ・１Ｂを換気開放位置にロック保持するので、全閉時には牽制アーム１２を縦枠１ｂに沿って目立たない状態で待機保持し、換気ロック装置を備えている障子１Ａ・１Ｂの体裁を向上できる。隣接する縦枠１ａ・１ｂの一方に牽制アーム１２を備えた第１ロック体７を装着し、他方に掛止ピン１６を備えた第２ロック体８を装着して換気ロック装置を構成するので、既存の障子１Ａ・１Ｂであっても支障なく適用できるうえ、ロック装置の構造が複雑になるのを避けながら、その製作コストを低減できる。
【００１４】
クレセント錠２を備えている障子１Ａ・１Ｂにおいては、錠受座４に第１ロック体７の取付ベース１０を一体に設けることができ、取付ベース１０を備えた錠受座４を既存の錠受座４と換装するだけで、縦枠１ｂに追加工を施す必要もなく第１ロック体７を取り付けることができる。第２ロック体８のホルダー１５をクレセント錠２の錠本体３と共締め固定する取り付け形態を採るのも、縦枠１ａに対する追加工を省略するためである。
【００１５】
第２ロック体８のホルダー１５に、クレセント錠２の錠止レバー５のための取付部を設けておくことによって、換気ロック装置付きのクレセント錠２の構成部品点数を減らして、その製造コストを削減できる。
【００１６】
第２ロック体８に切換具２５の切り換え操作を規制する切換ロック具１７を設け、両障子１Ａ・１Ｂを全閉した状態においてのみ、切換ロック具１７の規制体３５を待機位置へ変位操作し、切換具２５に対する規制を解除できるようにした換気ロック装置によれば、障子１Ａ・１Ｂが開放されている状況下で、切換具２５が切換操作されることを阻止できる。つまり切換具２５は、両障子１Ａ・１Ｂを閉じた状態でないと切り換え操作できないので、換気開放時に掛止ピン１６が待機位置側へ切り換えられるのを完全に阻止して、高度の防犯機能を兼備した換気ロック装置が得られる。
【００１７】
障子１Ａ・１Ｂを単に閉じ操作するだけで、切換ロック具１７を自動的に待機位置へ戻し、切換具２５に対する動作規制を解除できるので、使用者は切換ロック具１７を意識して切り換える必要がなく、障子１Ａ・１Ｂを全閉状態から開放する際に、全開放するのか、あるいは換気開放するかに応じて、切換具２５を操作するだけでよく、従って操作が簡単で取り扱いの容易な換気ロック装置が得られる。
【００１８】
【実施例】
図１ないし図９はこの発明に係る換気ロック装置を、引違い窓に適用した実施例を示す。図１において引違い窓は、屋内側の窓（障子）１Ａと屋外側の窓（障子）１Ｂとからなり、両窓１Ａ・１Ｂの縦枠１ａ・１ｂの間にクレセント錠２が設けてある。クレセント錠２は、屋内側の縦枠１ａに固定される錠本体３と、屋外側の縦枠１ｂに固定される錠受座４とからなり、両窓１Ａ・１Ｂを全閉した状態においてのみ、錠本体３に設けた錠止レバー５を錠受座４に回動掛止できる。符号６は錠止レバー５を回動自在に軸支する取付台である。
【００１９】
内外の窓１Ａ・１Ｂを換気開放位置において、開放不能にロック保持するために、内外の縦枠１ａ・１ｂの間に換気ロック装置を設けている。換気ロック装置は、屋外側の縦枠１ｂに固定される第１ロック体７と、屋内側の縦枠１ａに固定される第２ロック体８とからなる。
【００２０】
図１に示すように、第１ロック体７は縦枠１ｂの屋外側の枠面に固定される取付ベース１０と、取付ベース１０に設けた軸１１で窓面に沿って揺動自在に軸支された牽制アーム１２とからなる。部品数を減らすために、取付ベース１０は錠受座４の締結座と一体に形成してある。牽制アーム１２は、鋼板製の上下に長いプレス金具からなり、その板面に後述する掛止ピン１６と係合するスライド溝１３を通設し、スライド溝１３の上端に位置する広幅溝部の一側に導入溝１４を凹み形成する。牽制アーム１２は軸１１でかしめ連結されて、軸１１まわりに自由揺動できる。
【００２１】
第２ロック体８は、縦枠１ａの枠側面に先の取付台６と共に共締め固定されるホルダー１５と、ホルダー１５の下端に設けた掛止ピン１６と、掛止ピン１６の出退切り換え操作を規制する切換ロック具１７とで構成する。
【００２２】
ホルダー１５は、上下に長い取付座１９と、取付座１９の下端に連続して膨出形成したケース部２０とを一体に成形したプラスチック成形品からなり、ケース部２０の内部に先の掛止ピン１６と切換ロック具１７とを収容する。ケース部２０は縦枠１ｂとの対向面の側へ向かって開口しており、この開口面は蓋２１で塞がれる。ケース部２０の内面は水平の仕切壁２２で上下二室に区分してある（図３参照）。
【００２３】
図４において、掛止ピン１６は丸軸部を有するステンレス鋼製のピンからなり、一端に丸軸部より大径の抜け止め用のフランジ２３を張り出し形成し、他端に丸軸部より小径の連結軸２４を突設した施削加工品からなる。掛止ピン１６を牽制アーム１２に対して進退操作し、その位置状態を係合位置と待機位置とに切り換え操作するために、連結軸２４に切換レバー（切換具）２５を連結し、ピンで固定する。このとき、掛止ピン１６の丸軸部にばね２６を外嵌状に組んでおく。
【００２４】
切換レバー２５は、ボス２７の一端にレバー部２８を突設し、他端寄りの周面に接当片２９と突起３０とを側面視でＬ字状に突設したプラスチック成形品からなる。ボス２７の接当片２９側の端面で、先のばね２６の一端を受け止める。一体化された掛止ピン１６と切換レバー２５とは、ホルダー１５のケース部２０に対して、その開口面の側から圧嵌装着されて、ケース部２０の内外壁で基本的には回転自在に、かつ軸心方向へスライド自在に支持される。この組み付け状態において、ばね２６はボス２７の端面とケース部２０の屋外側の内面壁との間に配置されて、掛止ピン１６と切換レバー２５とを待機位置へ向かって退入付勢している（図３参照）。切換レバー２５の退入移動を許すために、ケース部２０の屋内側の軸受穴３３には凹部３４を切り欠き形成しておく（図７参照）。
【００２５】
突起３０と凹部３４とが係合する状態では、切換レバー２５を回動操作できない。しかし、切換レバー２５をばね２６の付勢力に抗して押し込み操作し、突起３０が凹部３４から分離する状態では、切換レバー２５を時計回転方向へ９０度回動操作できる。このとき、掛止ピン１６は図３の想像線で示すように、屋外側へ進出して、そのフランジ２３が牽制アーム１２の導入溝１４内へ入り込む。即ち、係合位置にある。また、突起３０の屋内側の端面は軸受穴３３の周縁壁で受け止められて、掛止ピン１６が待機位置へ復帰移動するのを阻止している。
【００２６】
上記のように掛止ピン１６が係合位置へ進出した状態で、内外いずれか一方の窓１Ａを開き操作すると、掛止ピン１６がスライド溝１３内へ入り、その溝周縁に接当して、牽制アーム１２を徐々に傾動させながら溝端側へ近付く。そして、図１に示すように、掛止ピン１６がスライド溝１３の奥端に接当すると、内外の窓１Ａ・１Ｂは牽制アーム１２を介して互いの開放移動を阻止し合うので、いずれの窓１Ａ・１Ｂもそれ以上開放操作できない。掛止ピン１６の端部にフランジ２３を設けているので、牽制アーム１２と掛止ピン１６とを内外方向に分離することもできない。
【００２７】
しかし、換気開放状態において、開放部分から手を差し込んで切換レバー２５を待機位置側へ傾動操作し、窓１Ａ・１Ｂを全閉操作すると、図６および図７に示すように、掛止ピン１６が待機位置へ戻ってしまう余地がある。こうした不正開放を防ぐために、掛止ピン１６の上方に切換ロック具１７を設けている。
【００２８】
図３および図４において切換ロック具１７は、ケース部２０内に掛止ピン１６と平行に配置される規制体３５と、規制体３５を規制位置へ向かって進出付勢するばね３６とからなる。規制体３５は、ばね３６用の収容部を兼ねる角軸部３７と、角軸部３７の一端に突設した受動軸３８と、角軸部３７の他端下面に突設したロック片３９を一体に形成したプラスチック成形品からなる。受動軸３８の先端は球状に丸められている。角軸部３７をケース部２０の内面壁と仕切壁２２とで案内支持することにより、規制体３５は回動は不能に、しかし内外方向へスライドは自在に支持されて、切換レバー２５の切り換え操作を許す待機位置と、同レバー２５の待機位置側への切り換え操作を阻止する規制位置との間を往復スライドできる。
【００２９】
規制体３５はばね３６で進出付勢されて、その受動軸３８がケース部２０から牽制アーム１２側へ向かって突出している。窓１Ａ・１Ｂを開いた状態では、角軸部３７がケース２０の内面で受け止められて、受動軸３８は大きく突出している。つまり規制位置にある（図８参照）。しかし、両窓１Ａ・１Ｂを全閉状態にすると、受動軸３８は、牽制アーム１２を止めつけた軸１１の頭部へ乗り上がり、ばね３６の付勢力に抗してケース部２０内へ退入する（待機位置）。
【００３０】
先に述べたように、掛止ピン１６を係合位置へ進出操作した状態では、規制体３５のロック片３９が切換レバー２５の接当片２９の回動軌跡内にあって、図９に示すように、切換レバー２５の待機位置側への回動を阻止する。従って、窓１Ａ・１Ｂを開放している限り、切換レバー２５を待機位置側へ操作することはできない。窓１Ａ・１Ｂを閉じると、規制体３５は待機位置に位置保持され、図３に示すようにそのロック片３９が接当片２９の回動軌跡の外に位置するので、切換レバー２５を待機位置へ戻すことができる。
【００３１】
上記の実施例以外に、第２ロック体８のホルダー１５を利用して、これに錠止レバー５を装着することができる。つまり、取付台６を省略して、ホルダー１５の取付座１９で錠止レバー５を回動可能に軸支することができる。第１ロック体７と第２ロック体８とは、クレセント錠２とは別の位置に配置することができる。その場合には、第１ロック体７の取付ベース１０と、第２ロック体８のホルダー１５とをそれぞれ内外の縦枠１ａ・１ｂに対して個別にビス止めする。掛止ピン１６を退入付勢するばね２６は省略することができる。
【００３２】
切換具２５は、掛止ピン１６と同行スライドして、掛止ピン１６を係合位置において位置保持できるように構成することができる。牽制アーム１２は、金属棒を折り曲げて形成し、あるいはプラスチック成形品で形成することができる。この発明は窓以外の引違い障子に適用できる。
【図面の簡単な説明】
【図１】換気開放状態における換気ロック装置の正面図である。
【図２】窓閉じ時の換気ロック装置の側面図である。
【図３】換気ロック装置の縦断側面図である。
【図４】掛止ピンとその周辺部材の分解斜視図である。
【図５】図２におけるＡ―Ａ線断面図である。
【図６】換気ロック装置の作動状態を示す縦断側面図である。
【図７】図６におけるＢ―Ｂ線断面図である。
【図８】換気ロック装置の別の作動状態を示す縦断側面図である。
【図９】図６におけるＣ―Ｃ線断面図である。
【符号の説明】
１Ａ・１Ｂ  障子（窓）
２  クレセント錠
７  第１ロック体
８  第２ロック体
１０  取付ベース
１１  軸
１２  牽制アーム
１３  スライド溝
１４  導入溝
１５  ホルダー
１６  掛止ピン
１７  切換ロック具
２５  切換具（切換レバー）
【図１】
0004216972.tif 000002
【図２】
0004216972.tif 000003
【図３】
0004216972.tif 000004
【図４】
0004216972.tif 000005
【図５】
0004216972.tif 000006
【図６】
0004216972.tif 000007
【図７】
0004216972.tif 000008
【図８】
0004216972.tif 000009
【図９】
0004216972.tif 000010